(57)【特許請求の範囲】
【請求項１】
着用物品に取り付け可能な止着テープであって、
前記着用物品に取り付けられる基端から外方向に延在する止着テープ基材と、該止着テープ基材の一方面に重ねられて、相手側の係合メス片に係止される係合オス片の止着部材とを具え、
前記止着部材から前記止着テープ基材まで貫通する切込みであって、前記止着テープ基材が延在する方向である長手方向に沿って、前記止着部材の前記長手方向における一方端から他方端まで連続して延びる切込みが形成され、
前記止着テープ基材には、前記切込みの一方端から連続して、前記止着テープ基材の前記基端の反対側の端である先端まで、前記長手方向に延びる易切開線が形成されていることを特徴とする止着テープ。
【請求項２】
前記止着テープ基材には、前記切込みの他方端から連続して、前記止着テープ基材の前記基端に向かって延びる易切開線が形成されていることを特徴とする請求項１に記載の止着テープ。
【請求項３】
前記切込みは、前記止着テープの幅を等分する位置に延びることを特徴とする請求項１または請求項２に記載の止着テープ。
【請求項４】
前記止着テープ基材の他方面において、前記切込みを覆う薄シートが貼着されていることを特徴とする請求項１から請求項３のいずれか一項に記載の止着テープ。
【請求項５】
前記着用物品が使い捨ておむつであることを特徴とする請求項１から請求項４のいずれか一項に記載の止着テープ。
【請求項６】
請求項１から請求項５のいずれか一項に記載の止着テープが取り付けられたことを特徴とする着用物品。
【発明の詳細な説明】
【技術分野】
【０００１】
本発明は、着用物品を着用状態にするために用いられる止着テープ及び、この止着テープを用いた着用物品に関する。
【背景技術】
【０００２】
使い捨ておむつ、おくるみ、失禁ブリーフ等の着用物品のうち、使い捨ておむつ（以下、単に「おむつ」と記述する場合がある）を例にとると、使い捨ておむつは展開型おむつとパンツ型おむつに分類される。展開型おむつは、シート状のおむつ展開体における背側の左右端に設けられた止着テープを腹側のおむつ前面に張り合わせることで左右端を閉じ合わせて着用させるものである。したがって、着用者を寝かせた状態でおむつ交換ができるため、乳児や、着座状態や起立状態を維持することが困難な人に用いられている。特に、立つことのできない乳児においては、おむつ交換が容易であるため、好んで使用されている。
【０００３】
そして、おむつの左右端を閉じ合わせる止着テープは、腹側に回してきたときに、肌に対向する面に、止着部材であるフック材が設けられており、このフック材をおむつの腹側の肌非対向面のウエスト周りに設けられたフロントパッチシートに係合させることで固定される。すなわち、フック材に設けられた複数の突起、例えば鈎型係合部材が、フロントパッチシートのループ型係合部材に引っかかることによって固定される。固定力を確保するために、止着テープはある程度の幅が必要である。
【０００４】
ところで、乳児等は腹部が前に突き出ているため、幅広の止着テープであると、おなかまわりの曲面にうまくフィットしない場合があった。そこで、特許文献１に見られるように、止着テープを横断するようにミシン目を入れ、必要に応じてそのミシン目を切断して、調整できるようにし、フィット性を高める工夫がなされてきた。
【先行技術文献】
【特許文献】
【０００５】
【特許文献１】特開２００９−６１１５７号公報
【発明の概要】
【発明が解決しようとする課題】
【０００６】
上述したように、止着テープにはフック材が設けられている。このフック材は、プラスチック素材などでできており、比較的硬めである。したがって、ミシン目が入れられていても、二つに裂くには相応の力が必要であることから、力の弱い高齢者や、何度もおむつ替えの作業が発生する保育、介護者には負担となっている。
【０００７】
このような問題に鑑みて、本発明は、小さい力で容易に切り裂ける止着テープ及びこの止着テープを具えた着用物品を提供することを課題とする。
【課題を解決するための手段】
【０００８】
本発明の止着テープは、着用物品に取り付け可能な止着テープであって、着用物品に取り付けられる基端から外方向に延在する止着テープ基材と、止着テープ基材の一方面に重ねられた止着部材とを具え、この止着部材から止着テープ基材まで貫通する切込みであって、止着テープ基材が延在する方向である長手方向に沿って、連続して伸びる切込みが形成されていることを特徴とするものである。
【０００９】
そして、本発明の着用物品は、このような止着テープが取り付けられたものである。
【図面の簡単な説明】
【００１０】
【図１】本発明による止着テープを展開型使い捨ておむつに応用した一実施形態の外観を示す立体投影図である。
【図２】図１に示したおむつを着用した下半身を背中側から見た立体投影図である。
【図３】図１に示したおむつを展開して分解状態で示す立体投影図である。
【図４】止着テープ部分をトップシート側から見た部分平面図である。
【図５】図５（ａ）は図４のＶ（ａ）−Ｖ（ａ）線での断面図であり、図５（ｂ）は図４のＶ（ｂ）−Ｖ（ｂ）線での断面図である。
【図６】止着テープ部分をカバーシート側から見た部分平面図である。
【図７】止着テープのミシン目部分を拡大した模式図である。
【図８】止着テープを切り裂いて接合されたおむつの着用状態を示す立体投影図である。
【図９】止着テープ部分の他の例をトップシート側から見た部分平面図である。
【図１０】止着テープ部分の他の例をカバーシート側から見た部分平面図である。
【発明を実施するための形態】
【００１１】
本発明による止着テープを着用物品のうち展開型使い捨ておむつに応用した一実施形態について、図１から図１０を参照しながら詳細に説明する。
【００１２】
本発明の第１の実施形態の外観において、正面側から見た斜視図を図１に示し、背面側から見た斜視図を図２に示す。図２は、この展開型使い捨ておむつを乳幼児が着用した際の背中側から見た下半身姿を示すものである。さらに、図１，図２に示す展開型使い捨ておむつを破断展開した分割状態にて図３に示す。
【００１３】
本実施形態における展開型使い捨ておむつ１０は、前身頃領域１０Ｆと、後身頃領域１０Ｒと、これら前身頃領域１０Ｆおよび後身頃領域１０Ｒをつなぐ股下領域１０Ｃとを有する。また、着用時に前身頃領域１０Ｆと後身頃領域１０Ｒとで着用者のウエストの部分を取り囲むウエスト周り開口部１０Ｗが形成されている。同様に、前身頃領域１０Ｆおよび後身頃領域１０Ｒの下端部股下領域１０Ｃとで着用者の両脚の太股部分を取り囲む左右一対の脚周り開口部１０Ｌが形成されている。
【００１４】
図２に示すように、着用時に前身頃領域１０Ｆは、着用者の腹側に位置し、後身頃領域１０Ｒは着用者の背側に位置する。そして、股下領域１０Ｃは、着用者の股下を覆い、左右一対の脚周り開口部１０Ｌに、着用者の脚がそれぞれ通された形となる。したがって、脚周り開口部１０Ｌは、着用者の両脚の付け根から太ももあたりのいずれかに位置することとなる。
【００１５】
おむつ１０の外側に位置するカバーシート１１の後身頃領域１０Ｒの左右両端縁部には、着用時に前身頃領域１０Ｆの左右両端縁部に重ね合わせてこれらをつなぎ、脚周り開口部１０Ｌを形成し得る左右一対の止着テープ１が接合されている。この止着テープ１は、前身頃領域１０Ｆのカバーシート１１上に接合されたフロントパッチシート１０Ａに対して繰り返し剥離可能に接合される。本実施形態の止着テープ１の詳細については、後述する。
【００１６】
また、カバーシート１１の後身頃領域１０Ｒの上端部には、カバーシート１１の幅方向に沿って延在し、着用者に対してウエスト周りに適度な着用感を与えるための弾性シート１０Ｄが接合されている。
【００１７】
図３に示すように、本実施形態におけるおむつ１０は、外側から順にカバーシート１１と、バックシート１２と、吸収体１３と、着用者の肌に触れるトップシート１４とを順に重ねて接合したものである。カバーシート１１の股下領域１０Ｃの左右両側には、それぞれ脚周り開口部１０Ｌとなる半円弧状をなす一対の切欠き部１１Ａが形成されている。液不透過性のバックシート１２は、このインナーカバーシート１１Ｂに接合され、先の吸収体１３は、このバックシート１２と液透過性のトップシート１４との間に配され、この吸収体１３を介してトップシート１４がバックシート１２に接合される。良好な手触りを得るために薄い不織布にて形成されるアウターカバーシート１１Ｃとインナーカバーシート１１Ｂとの間には、脚周りギャザーを形成するための糸ゴム１５がそれぞれ伸長状態で接合されている。
【００１８】
トップシート１４の下に位置する吸収体１３は、主にパルプと高吸水性樹脂（Ｓｕｐｅｒ  Ａｂｓｏｒｂｅｎｔ  Ｐｏｌｙｍｅｒ、以下「ＳＡＰ」とも言う）とから形成されている。また、吸収体１３は、不図示の親水性のコアラップ（ティシュ／不織布）で包まれていてもよい。吸収体１３は、前身頃、股下、後身頃にわたる形状をしている。股下で吸収した体液が前身頃、後身頃側へ拡散され、複数回の排尿も吸収可能となっている。また、本実施形態の吸収体１３では、両脚の太股部分を取り囲む左右一対の脚周り開口部１０Ｌに合わせて、円弧状をなす一対の切欠き部が形成されているが、本発明はこれに限らず、切り欠き部を具えないものであってもよい。
【００１９】
また、脚周り開口部１０Ｌ付近から体液の漏れを防止するために、トップシート１４の左右両端には、サイドシート１８が設けられている。サイドシート１８の脚周り側と対向する端部には、長手方向に伸張して糸ゴム１９が取り付けられており、この糸ゴム１９が縮むことにより、サイドシート１８がトップシート１４から、左右両端を軸として斜め上方に立ち上がり、立体ギャザーを形成し、左右両端における堤となる。そして、おむつの左右両端、すなわち、脚周り開口部からの体液の漏れを防止する。
【００２０】
図４は、本実施形態の止着テープ１を、トップシート１４を上にしておむつ１０を広げた際に、上面となる向きから見た平面図である。
【００２１】
図４に示されるように、止着テープ１は、カバーシート１１のウエスト周り近傍の左右両端に取り付けられ、左右両端から外方向に伸びている。そして、止着テープ１は、カバーシート１１から延在する止着テープ基材３と、この止着テープ基材３の中央部分に重ねて接着された止着部材であるフック部材２と、止着テープ基材３のフック部材２が接着された面と反対側の面に設けられた薄シート５とを具えている。
【００２２】
ここで、便宜上、止着テープ１のカバーシート１１から延在する方向を「長手方向」と言い、その方向の長さを止着テープ１の「長さ」とも言う。そして、長手方向に直交する方向を「幅方向」と言い、その方向の長さを止着テープ１の「幅」とも言う。そして、止着テープ１のフック部材２がある方の面を「表面」、薄シート５がある方の面を「裏面」とも言う。また、止着テープ１及び止着テープ基材３のカバーシート１１に接合され得る端部を「基端」、これと反対方向の自由端を「先端」とも言う。また、フック部材２も同様に、止着テープ１の基端側に位置する端を「基端」、先端側に位置する端を「先端」とも言う。
【００２３】
止着テープ基材３は、不織布などによって形成されている。例えば、不織布の場合、スパンボンド法もしくはメルトブロー法またはエアレイド法のうちの一つまたは複数の製法の組み合わせによって製造されるものが好ましい。特に、坪量３０ｇ／ｍ2〜１２０ｇ／ｍ2で、スパンボンド法とメルトブロー法とを組み合わせたＳＭＳ法で形成された不織布が柔軟でかつ適度な強度を有しており、以下に具体的に述べる止着テープ１をＶ字状に開いてとめつける場合においても扱いやすい。また、止着テープ基材３の材料としては、不織布に限らず、織布、プラスチック製シート等であってもよい。
【００２４】
フック部材２は、表面に係合突起が形成された係合オス片である。係合突起は、鉤状、Ｔ状など、公知のメカニカルファスナーの形状であればよい。そして、前身頃領域１０Ｆのカバーシート１１上に接合されたフロントパッチシート１０Ａは、表面がループ状になっている等、フック部材２の係合突起が係止できるように形成された係合メス片である。そして、フック部材２は、係合突起が複数回の係合、はがしによっても変形しにくいプラスチックシート等が用いられる。すなわち、坪量に相関したある程度の硬さを有するものである。具体的には、ポリプロピレン、ポリエステル、ポリオレフィンなどが挙げられる。特に、坪量１００ｇ/ｍ2〜３００ｇ/ｍ2が安定して係合メス片に係止可能であり、良好な強度を発揮する。
【００２５】
そして、フック部材２は、止着テープ３のカバーシートから延在する領域全体に位置するのではなく、中央部分に長さＬ１で延在する。これは、止着テープ基材３の自由端（カバーシート１１に固定されていない方の端部、先端）にまで、フック部材２が位置すると、フック部材２をフロントパッチシート１０Ａに貼り付けた後、はがしにくくなり好ましくない。止着テープ基材３の自由端には、フック部材２を設けず、フロントパッチシート１０Ａに係合しないようにすることで、その自由端をつまんで容易にはがすことができる。
【００２６】
さらに、止着テープ１のフック部材２のある部分は、切込み４ａが長手方向に形成されている。具体的には、切込み４ａは、止着テープの幅Ｗ１を二等分する位置において、連続して延びており、フック部材２の長手方向の一方端から他方端まで延びているのが好ましい。そして、図５（ａ）の断面図で示されるように、この切込み４ａは、フック部材２から止着テープ基材３までは貫通しているが、薄シート５には形成されていない。
【００２７】
また、この切込み４ａから基端に向かって一定距離Ｌ２だけ、易切開線であるミシン目４ｂが伸びている。同じく、切込み４ｂから先端まで、易切開線であるミシン目４ｃが延びている。したがって、止着テープ１には、カバーシート１１よりも外側の位置Ａ３から、先端Ａ４まで、ミシン目４ｂ、切込み４ａ、ミシン目４ｃからなる１本の切断線４が形成されている。ミシン目４ｂ、４ｃが伸びる領域はフック部材２がない部分であるので、図５（ｂ）に示されるように、止着テープ基材３だけにミシン目が形成され、薄シート５には形成されていない。
【００２８】
図６に示されるように、薄シート５は、止着テープ１の裏面全体に接着されている。薄シート５は、破りやすい薄いフィルム状の素材でできている。例えば、セロハン（ｃｅｌｌｏｐｈａｎｅ）が望ましい。そして、その厚みは、１μｍ〜３０μｍ程度であり、手で簡単に裂ける程度である。止着テープ１の表面に形成されたミシン目４ｂ、４ｃを破ろうとすると、共に簡単に破れるものである。
【００２９】
図７に示されるように、ミシン目４ｂ、４ｃは、直径１ｍｍ程度の孔が間欠的に並ぶことで形成されたものである。孔の中心間距離（ピッチ）は３〜５ｍｍ程度で形成される。切手の切り取り辺のように、少ない力によって簡単に切り取れるものである。本実施形態では、ミシン目４ｂとして、このような孔が間欠的に並べられたものを挙げたが、本発明はこれに限らず、直線状の切開線が間欠的に並んだもの等であってもよい。
【００３０】
次に、本実施形態の止着テープ１の使用方法について具体的に説明する。
【００３１】
図８は、体、特に腹周りの凹凸に合わせて止着テープ１の切断線４で止着テープ１をＶ字状に開いて、フロントパッチシート１０Ａに貼り付けた状態を示す。
【００３２】
おむつの着用方法は、先に説明したように、おむつの後身頃１０Ｒを着用者の背側に位置させた後、おむつ１０を着用者の股下に通して、前身頃１０Ｆを腹側に押し当てる。そして、止着テープ１を背側両端から体に沿って腹側に持ってくる。そして、フロントパッチシート１０Ａに止着テープ１を貼り付けて、おむつの左右端を閉じ合わせる。この際、止着テープ１のフック部材２のある表面は、おむつの前身頃１０Ｆに対向し、薄シート５のある裏面が前面にくることになる。そして、止着テープ１を貼り付ける上で、腹の曲面に合わせて貼着し、おむつ１０のフィット性を向上させるため、次の作業を行う。すなわち、切断線４に沿って止着テープ１を切り裂き、腹の曲面に合わせて幅方向に広げて貼着する。この切り裂きによって、止着テープ１の図中向かって上方、すなわち、幅方向でウエスト側に位置する片を第１片１ａとし、図中向かって下方、すなわち、幅方向で股下側に位置する片を第２辺１ｂとする。
【００３３】
具体的には、止着テープ１の先端側に設けられたミシン目４ｃを切り離すと、この幅方向両側に第１片１ａ、第２片１ｂをそれぞれ離れる方向引っ張る作業に伴って、薄シート５も２方向に裂かれる。そして、フック部材２はもともと切込み４ａによって分かれているので、そのまま引っ張る作業を続けると、次にミシン目４ｂが切り離される。結果として、止着テープ１の基端はつながり、先端は第１片１ａと第２片１ｂに分離したＶ字状の形状に変形する。これら第１片１ａ、第２片１ｂを腹の曲面に合わせて離してフロントパッチシート１０Ａに貼着することにより、様々な腹の曲面に柔軟に対応した形でおむつ１０を着用することができる。
【００３４】
ここで、フック部材２は予め切込み４ａによって切断されているため、使用時に切り裂く必要がなく、少ない力で簡単に止着テープ１を第１片１ａと第２片１ｂに切り裂くことができる。
【００３５】
一方で、止着テープ１は、常に第１片１ａと第２片１ｂに切り裂いて使う必要はなく、ミシン目４ｂ、４ｃがつながった状態の１片として使用してもよい。このような使用形態の場合、切込み４ａが露出していると、切込み４ａに指がひっかかったりして、予期せぬ切り裂きが発生する場合がある。しかしながら、本実施形態では、着用時に指が触る止着テープ１裏面に薄シート５があるため、切込み４ａが露出しないため、指等が引っかかるおそれがない。
【００３６】
また、着用時だけでなく、製造上での折り畳み時や、着用までの取り扱い時においても、切込み４ａが露出していると、この切込み４ａ部分に何かに引っかかるなどして破れてしまう可能性があり、好ましくない。しかしながら、本実施形態では裏面に設けた薄シート５で切込み４ａが露出せず、第１片１ａと第２片１ｂが離れるのを抑制する（切込み４ａ部分が開口することがない）ので、止着テープ１が破れることがない。
【００３７】
なお、本実施形態において、裏面において切込み４ａを露出させないために、薄シート５を貼りつけたが、本発明はこれに限らず、切込み４ａの範囲が短ければ、薄シート５を設けない構成であってもよい。すなわち、切込み４ａの範囲が短いと開口しにくくなるため、切込み４ａが長いものに比べて指等がひっかかりにくい。したがって、コストと切込み４ａの長さの両方を勘案し、薄シート５を設けない構成としてもよい。すなわち、本発明の止着テープは、比較的硬いフック部材２の部分は予め切込み４ａによって切断しておき、切り裂き時に力を加える必要がない状態とすることで、容易に切り裂けるものである。したがって、薄シート５は必須の部材ではなく、切込み４ａを設けることによって起きるひっかかりなどのトラブルを防止するために設けられたものである。
【００３８】
また、止着テープ基材３の材質によって、簡単に切り裂けるものであれば、ミシン目などの易切開線を設ける必要はない。また、易切開線は、ミシン目に限らず、止着テープ基材３の先端、すなわち、第１片１ａと第２片１ｂに切り裂くための取っ掛かりに切れ目があり、残りの部分は筋などであってもよい。
【００３９】
次に、止着テープ１の変形例を説明する。
【００４０】
図９及び図１０に示されるように、切断線４は、フック部材２の部分だけでなく、止着テープ１の基端側の始点Ａ３から先端Ａ４まで連続する切込み４ｄであってもよい。裏面から薄シート５が貼りつけられているため、両片１ａ、１ｂは固定され、止着テープ１の貼り付け作業において影響はない。また、必要に応じて、第１片１ａと第２片１ｂを離して貼着する時は、薄シート５を裂くだけで２片に分離できるため、少ない力で容易に作業を行うことができる。
【００４１】
このように、本発明の止着テープ１を用いることにより、比較的硬いフック部材は予め切断されているため、少ない力で簡単に２片に切り裂くことができ、着用者の体形に応じたウエスト周りの固定を行うことができる。そして、止着テープ１を切り裂かないで使用する時、製造時、格納時、持ち運び時、着用作業中などの止着テープ１が切り裂いた状態でフロントパッチシート１０Ａに固定されていない時には、次の効果がある。すなわち、止着テープ１の裏面に薄シート５を貼着することにより、フック部材２の切込み４ａが露出しないため、切込み４ａに指が引っかかるなどによって予期せぬ止着テープ１の破損を防止することができる。なお、薄シート５は、少なくとも切込み４ａ部分に位置していればよいため、止着テープ１の裏面全面に形成されることを必須としない。また、その接着においても、全面を接着するのではなく、部分接着などはがれない程度であればよい。
【符号の説明】
【００４２】
１  止着テープ
２  フック部材（止着部材）
３  止着テープ基材
４  切断線
４ａ  切込み
４ｂ  ミシン目（易切開線）
１０  使い捨ておむつ（おむつ）
１０Ａ  フロントパッチシート
１０Ｆ  前身頃領域
１０Ｒ  後身頃領域
１０Ｃ  股下領域
１０Ｗ  ウエスト周り開口部
１０Ｌ  脚周り開口部
１１  カバーシート
１２  バックシート（裏面シート）
１３  吸収体
１４  トップシート（表面シート）
１５  糸ゴム
１８  サイドシート
【図１】
0006459816.tif 000002
【図２】
0006459816.tif 000003
【図３】
0006459816.tif 000004
【図４】
0006459816.tif 000005
【図５】
0006459816.tif 000006
【図６】
0006459816.tif 000007
【図７】
0006459816.tif 000008
【図８】
0006459816.tif 000009
【図９】
0006459816.tif 000010
【図１０】
0006459816.tif 000011